(57)【特許請求の範囲】
【請求項１】
左右の支柱と、上桟と下桟とを有する複数のパネル体とを備え、パネル体は左右の支柱間に積み上げており、下パネル体の上桟は、見込み方向一方側に設けた一方側被係合部と、一方側被係合部の上方に設けて下端を一方側に向けて傾斜した傾斜面と、上パネル体の下桟の見込み方向一方側部が載る一方側載置部と、上パネル体の下桟の見込み方向他方側部が載る他方側載置部と、見込み方向他方側に設けた他方側被係合部とを備え、上パネル体の下桟は、下パネル体の上桟の一方側被係合部に下方から係合する上下方向一方側係合部と、下パネル体の上桟の他方側被係合部に下方から係合する上下方向他方側係合部と、下パネル体の上桟に見込み方向一方側から係合する見込み方向一方側係合部と、下パネル体の上桟に見込み方向他方側から係合する見込み方向他方側係合部とを備え、他方側被載置部は上下方向他方側係合部よりも他方側に位置しており、上パネル体の下桟は、下パネル体の上桟の一方側載置部に載置した一方側被載置部及び他方側載置部に載置した他方側被載置部と、上下方向一方側係合部及び上下方向他方側係合部とで下パネル体の上桟を上下方向から挟んでおり、見込み方向一方側係合部と見込み方向他方側係合部とで下パネル体の上桟を見込み方向で挟んでいることを特徴とする壁面体。
【請求項２】
左右の縦枠及び上下の横枠で枠組みした枠体と、上下の横枠を固定した支柱と、枠体内に積上げた複数のパネル体とを備え、パネル体は上桟と下桟とを有し、下パネル体の上桟は、見込み方向一方側に設けた一方側被係合部と、一方側被係合部の上方に設けて下端を一方側に向けて傾斜した傾斜面と、上パネル体の下桟の見込み方向一方側部が載る一方側載置部と、上パネル体の下桟の見込み方向他方側部が載る他方側載置部と、見込み方向他方側に設けた他方側被係合部とを備え、上パネル体の下桟は、下パネル体の上桟の一方側被係合部に下方から係合する上下方向一方側係合部と、下パネル体の上桟の他方側被係合部に下方から係合する上下方向他方側係合部と、下パネル体の上桟に見込み方向一方側から係合する見込み方向一方側係合部と、下パネル体の上桟に見込み方向他方側から係合する見込み方向他方側係合部とを備え、他方側被載置部は上下方向他方側係合部よりも他方側に位置しており、上パネル体の下桟は、下パネル体の上桟の一方側載置部に載置した一方側被載置部及び他方側載置部に載置した他方側被載置部と、上下方向一方側係合部及び上下方向他方側係合部とで下パネル体の上桟を上下方向から挟んでおり、見込み方向一方側係合部と見込み方向他方側係合部とで下パネル体の上桟を見込み方向で挟んでいることを特徴とする壁面体。
【発明の詳細な説明】
【技術分野】
【０００１】
本発明は、フェンスや屋外に設置される間仕切り等の壁面体に関する。
【背景技術】
【０００２】
左右の支柱間にパネル体を積み上げて設置されるフェンス等の壁面体において、特許文献１には、溝を形成した左右の支柱にパネル体の左右端を呑み込ませてパネル体を順次積上げることが開示されている。
【先行技術文献】
【特許文献】
【０００３】
【特許文献１】特開２００１−２９５５５１０号公報
【発明の概要】
【発明が解決しようとする課題】
【０００４】
しかし、特許文献１の技術は、上下のパネル体は互いに固定していないから上下のパネル体間でがたつきが生じ易いという問題がある。一方、上下のパネル体をねじ等で固定したのでは、施工に手間がかかる。
更に、特許文献１の技術は、支柱の上端からパネル体を落とし込む必要があるので、壁面体を施工する場合に支柱の上方にも施工スペースが必要になるという不都合がある。
【０００５】
そこで、本発明は、上下のパネル体を容易に固定できると共に施工スペースを支柱の上方に大きくとらなくて済む壁面体の提供を目的とする。
【課題を解決するための手段】
【０００６】
請求項１に記載の発明は、左右の支柱と、上桟と下桟とを有する複数のパネル体とを備え、パネル体は左右の支柱間に積み上げており、下パネル体の上桟は、見込み方向一方側に設けた一方側被係合部と、一方側被係合部の上方に設けて下端を一方側に向けて傾斜した傾斜面と、上パネル体の下桟の見込み方向一方側部が載る一方側載置部と、上パネル体の下桟の見込み方向他方側部が載る他方側載置部と、見込み方向他方側に設けた他方側被係合部とを備え、上パネル体の下桟は、下パネル体の上桟の一方側被係合部に下方から係合する上下方向一方側係合部と、下パネル体の上桟の他方側被係合部に下方から係合する上下方向他方側係合部と、下パネル体の上桟に見込み方向一方側から係合する見込み方向一方側係合部と、下パネル体の上桟に見込み方向他方側から係合する見込み方向他方側係合部とを備え、他方側被載置部は上下方向他方側係合部よりも他方側に位置しており、上パネル体の下桟は、下パネル体の上桟の一方側載置部に載置した一方側被載置部及び他方側載置部に載置した他方側被載置部と、上下方向一方側係合部及び上下方向他方側係合部とで下パネル体の上桟を上下方向から挟んでおり、見込み方向一方側係合部と見込み方向他方側係合部とで下パネル体の上桟を見込み方向で挟んでいることを特徴とする。
【０００７】
請求項２に記載の発明は、左右の縦枠及び上下の横枠で枠組みした枠体と、上下の横枠を固定した支柱と、枠体内に積上げた複数のパネル体とを備え、パネル体は上桟と下桟とを有し、下パネル体の上桟は、見込み方向一方側に設けた一方側被係合部と、一方側被係合部の上方に設けて下端を一方側に向けて傾斜した傾斜面と、上パネル体の下桟の見込み方向一方側部が載る一方側載置部と、上パネル体の下桟の見込み方向他方側部が載る他方側載置部と、見込み方向他方側に設けた他方側被係合部とを備え、上パネル体の下桟は、下パネル体の上桟の一方側被係合部に下方から係合する上下方向一方側係合部と、下パネル体の上桟の他方側被係合部に下方から係合する上下方向他方側係合部と、下パネル体の上桟に見込み方向一方側から係合する見込み方向一方側係合部と、下パネル体の上桟に見込み方向他方側から係合する見込み方向他方側係合部とを備え、他方側被載置部は上下方向他方側係合部よりも他方側に位置しており、上パネル体の下桟は、下パネル体の上桟の一方側載置部に載置した一方側被載置部及び他方側載置部に載置した他方側被載置部と、上下方向一方側係合部及び上下方向他方側係合部とで下パネル体の上桟を上下方向から挟んでおり、見込み方向一方側係合部と見込み方向他方側係合部とで下パネル体の上桟を見込み方向で挟んでいることを特徴とする。
【発明の効果】
【０００８】
請求項１に記載の発明によれば、上パネル体の下桟が下パネル体の上桟に上下方向及び見込み方向で係合して挟んでいるので、上下のパネル体をねじ等を用いることなく容易に固定できる。
本発明の施工は、例えば、支柱間において、上パネル体を一方側又は他方側から下パネル体の上に配置すると共に上パネル体の上桟を他方側に向けて傾斜させて上パネル体の下桟の上下方向他方側係合部を下パネル体の上桟の他方側被係合部に下から係合した後、上パネル体の上桟を支柱間に位置するように上パネル体を回転させて、上下方向一方側係合部が一方側被係合部を乗り越えて一方側被係合部に下方から係合し、下パネル体の上桟に載置する。これにより、上パネル体の下桟の上下方向一方側係合を下パネル体の上桟の一方側被係合部に下から係合すると共に下パネル体の上桟に見込み方向一方側係合と見込み方向他方側係合部が係合する。このように、本発明は下パネル体に対して上桟を一方側又は他方側に傾けて載置した上パネル体を回転させて施工できるので、従来技術のように支柱の上方に施工スペースを取らなくて済む。
また、他方側被載置部は上下方向他方側係合部よりも他方側に位置しているので、上パネル体を回転させて下パネル体の上に載置するときに、下パネル体の上桟の他方側載置部が邪魔にならずに回転させることができる。
下パネル体の上桟を、上パネル体の下桟の一方側被載置部及び他方側被載置部と、上下方向一方側係合及び他方側係合部とで挟んでいるので、パネル体を積上げた状態で加重がかかっても、下パネル体の上桟と上パネル体の下桟との係合が外れ難い。
【０００９】
請求項２に記載の発明によれば、枠体内に積上げた複数のパネル体では、上パネル体の下桟が下パネル体の上桟に上下方向及び見込み方向で係合して挟んでいるので、上下のパネル体をねじ等を用いることなく容易に固定できる。
本発明の施工は、左右の縦枠及び上下の横枠で四周を枠組みした枠体において、上パネル体を一方側又は他方側から下パネル体の上に配置すると共に上パネル体の上桟を他方側に向けて傾斜させて上パネル体の下桟の上下方向他方側係合部を下パネル体の上桟の他方側被係合部に下から係合した後、上パネル体の上桟を左右の縦枠間に位置するように上パネル体を回転させて、上下方向一方側係合部が一方側被係合部を乗り越えて一方側被係合部に下方から係合し、下パネル体の上桟に載置する。これにより、上パネル体の下桟の上下方向一方側係合を下パネル体の上桟の一方側被係合部に下から係合すると共に下パネル体の上桟に見込み方向一方側係合と見込み方向他方側係合部が係合する。このように、本発明は下パネル体に対して上桟を一方側又は他方側に傾けて載置した上パネル体を回転させて施工できるので、四周を枠組みした枠体内にパネル体を積上げることができ、組立てスペースを大きく取らなくて済むと共に組み立てが容易である。
パネル体の積上げにおいて、他方側被載置部は上下方向他方側係合部よりも他方側に位置しているので、上パネル体を回転させて下パネル体の上に載置するときに、下パネル体の上桟の他方側載置部が邪魔にならずに回転させることができる。
下パネル体の上桟を、上パネル体の下桟の一方側被載置部及び他方側被載置部と、上下方向一方側係合及び他方側係合部とで挟んでいるので、パネル体を積上げた状態で加重がかかっても、下パネル体の上桟と上パネル体の下桟との係合が外れ難い。
上下の横枠に支柱を固定する構成であるから、支柱の位置に制限なく施工できる。
【図面の簡単な説明】
【００１０】
【図１】第１実施の形態を示し、壁面体の施工中において下パネル体に上パネル体を係合固定した状態を示す縦断面図である。
【図２】第１実施の形態を示し、壁面体の施工中において下パネル体に上パネル体を係合固定する前の状態を示す縦断面図である。
【図３】第１実施の形態を示し、（ａ）は図５のＣ−Ｃ断面図であり、（ｂ）は（ａ）に示すＡ部の拡大図であり、（ｃ）はＢ部の拡大図である。
【図４】第１実施の形態を示し、図５のＤ−Ｄ断面図である。
【図５】第１実施の形態にかかる壁面体を道路側から見た正面図である。
【図６】第２実施の形態にかかる壁面体を道路側から見た正面図である。
【図７】第２実施の形態にかかる壁面体であって、図６に示すＥ−Ｅ断面図である。
【図８】第１実施の形態の変形例であり、壁面体の施工中において下パネル体に上パネル体を係合固定した状態を示す縦断面図である。
【発明を実施するための形態】
【００１１】
以下に、添付図面を参照して本発明の第１実施の形態を説明する。第１実施の形態にかかる壁面体１は、フェンスである。
図５に示すように、壁面体１は、左右の支柱３、３と、複数のパネル体５を備えており、パネル体５は左右の支柱３間に積み上げて固定されている。左右の柱３、３の上端間には横架材７が架設されており、最上にあるパネル体５と横架材７との間に空間９を形成している。
図４に示すように、左右の支柱３、３には、互いに対向する面に各々竪桟補助材１１がねじ固定してある。
【００１２】
図３に示すように、パネル体５は、パネル１７と、上桟１９と、下桟２１と、左右の竪桟１３、１３（図４参照）とを備えており、パネル１７の周囲を上桟１９、下桟２１及び竪桟１３、１３で囲んでいる。また、上桟１９と下桟２１との間には中骨２３を固定してある。
パネル１７は、採光パネルであり、光を透過する樹脂材製である。
上桟１９は、横桟本体２５と、横桟本体２５の下方に空間をあけて配置した横桟補助材２７とを備えており、横桟本体２５と横桟補助材２７との間の空間をパネル体５の見込み方向に風を通す通風部２９としてある。
【００１３】
図１に示すように、下パネル体５の上桟１９の横桟本体２５には、上パネル体５の下桟２１が載る一方側載置部３０ａ及び他方側載置部３０ｂと、見込み方向一方側に設けた一方側被係合部３１と、見込み方向他方側に設けた他方側被係合部３３とが設けられている。一方側載置部３０ａは横桟本体２５の上面の一方側に設けたあり、他方側載置部３０ｂは他方側被係止部３３の上端に設けてある。一方側被係合部３１は下側ほど見込み方向一方側に向けて突出する傾斜面３６を有している。
【００１４】
上パネル体５の下桟２１は、下パネル体５の横桟本体２５の一方側被係合部３１に下方から係合する上下方向一方側係合部３５と、下パネル体５の横桟本体２５の他方側被係合部３３に下方から係合する上下方向他方側係合部３７と、下パネル体５の一方側載置部３０ａに載置する一方側被載置部３２ａと、他方側載置部３０ｂに載置する他方側被載置部３２ｂとが設けてある。また、他方側被載置部３２ｂの他方側には下パネル体５の横桟本体２５に見込み方向から係合する見込み方向他方側係合部３４が設けてある。見込み方向他方側係合部３４は他方側被載置部３２ｂの他方側で下方に向けて突出してあり、他方側被載置部３２ｂと見込み方向他方側係合部３４とでコーナーを形成している。
【００１５】
上下方向一方側係合部３５は、横桟本体２５の一方側被係合部３１に下方から係合すると共に横桟本体２５の見込み方向一方側から他方側に向けて当接する見込み方向係合部を兼ねている。
そして、上パネル体５の下桟２１は、横桟本体２５の一方側被載置部３２ａ及び他方側被載置部３２ｂと、上下方向一方側係合部３５及び上下方向他方側係合部３７とで下パネル体５の横桟本体２５を上下方向から挟んでおり、見込み方向一方側係合部３５と見込み方向他方側係合３４とで下パネル体の横桟本体２５を見込み方向で挟んである。
【００１６】
図３に示すように、横桟補助材２７には、中骨２３の上端がねじ固定されており、中骨の一方側にパネル１７の上端が固定されている。
横桟本体２５の下面は見込み方向中間部に平坦な水平部４１が形成されており、横桟補助材２７の上面も見込み方向中間部に横桟本体２５の水平部４１と平行な水平部４３が形成されている。そして、横桟本体２５の水平部４１と横桟補助材２７の水平部４３との間にスペーサ４４が固定されている。
【００１７】
図３（ｂ）に示すように、最上に位置するパネル体５は、その上桟１９の横桟本体２５の上面にカバー４５を取付けている。
カバー４５には、横桟本体２５の一方側被係合部３１に係合する上下方向一方側係合部４７と、他方側被係合部３３に係合する上下方向他方側係合部４９とが形成されており、これらの係合部４７、４９は各々上述した下桟２１に形成された上下方向一方側係合部３５及び上下方向他方側係合部３７と同じ形状となっており、下桟２１と同様に横桟本体２５に嵌合してカバー４５を取付けてある。
【００１８】
図３（ａ）に示すように、支柱３、３間の下部には下桟補助材１６が固定してあり、最下に位置するパネル体５の下桟２１は下桟補助材１６に嵌合してある。
パネル体５の左右の竪桟１３は、竪桟補助材１１及び支柱３、３に家側から斜めに止めるねじ１２で固定されている。竪桟１３を固定するねじ１２は目板１５で隠してある。
尚、竪桟１３の道路側は竪桟補助材１１の面部１１ａで覆っている。また、図３（ｂ）に示すように、竪桟１３の上端には、キャップ５１を取付けてある。
【００１９】
次に、本実施の形態にかかる壁面体１の施工、作用効果について説明する。
壁面体１の施工は、図４に示すように、左右の支柱３、３の対向面に各々竪桟補助材１１をねじ固定する。また、左右の支柱３、３の下部に下桟補強材１６を固定し、上端に横架材７を固定する。
次に、左右の支柱３、３間の下部に最下のパネル体５を配置し、その下桟を下桟補強材１６（図３（ａ）参照）に嵌合し、パネル体５の左右の竪桟１３、１３を家側（他方側）から止めるねじ１２で竪桟補助材１１及び支柱３に固定する。
【００２０】
次に、図１に示すように、パネル体５の上に順次パネル体５を積み上げて固定するが、上パネル体５の積み上げは、図２に示すように、上パネル体５の上桟１９を家側（他方側）に向けて傾斜させ、支柱３、３間に配置し、上パネル体５の下桟２１にある上下方向他方側係合部３７を、下パネル体５の横桟本体２５の他方側被係合部３３に下から係合する。そして、上パネル体５の上桟１９を道路側（一方側）に向けて回転させて上パネル体５を立ち上げることにより、一方側被係合部３１の傾斜面３６に沿って上下方向一方側係合部３５が移動し、上下方向一方側係合部３５が弾性変形して一方側被係合部３１を乗り越えて一方側被係合部に下方から係合する。そして、下パネル体５の横桟本体２５の被載置部３０ａ、３０ｂに上パネル体５の下桟２１を載置する。
このように、下パネル体５に上パネル体５を積上げた状態では、図１に示すように、上パネル体の下桟２１は、一方側被載置部３２ａ及び他方側載置部３２ｂと、上下方向一方側係合部３５及び上下方向他方側係合部３７とで横桟本体２５を上下方向から挟み、見込み方向一方側係合部（上下方向一方側係合部）３５と見込み方向他方側係合部３４とで横桟本体２５を見込み方向で挟んで固定している。
【００２１】
そして、パネル体５の竪桟１３、１３を家側（他方側）から止めるねじ１２で竪桟補助材１１及び支柱３に固定する。
このようにしてパネル体５を順次積み上げて最上のパネル体５を、竪桟補助材１１、１１及び支柱３，３に固定した後、竪桟１３の家側（他方側）に目板１５を嵌め、最上のパネル体５の上桟本体２５にカバー４５を被せると共に、竪桟１３、１３の上端にもカバー５１を被せる。
【００２２】
本実施の形態によれば、上パネル体の下桟２１が、一方側被載置部３２ａ及び他方側載置部３２ｂと、上下方向一方側係合部３５及び上下方向他方側係合部３７とで横桟本体２５を上下方向から挟み、見込み方向一方側係合部（上下方向一方側係合部）３５と見込み方向他方側係合部３４とで横桟本体２５を見込み方向で挟んで固定しているので、上下のパネル体５、５をねじ等を用いなくても容易に固定できる。
また、下パネル体５に対して上パネル体５の上桟１９を一方側又は他方側に傾けて載置した上パネル体５を回転させて施工できるので、従来技術のように支柱３、３の上方に施工スペースを取らなくて施工できる。
他方側被載置部３２ｂは上下方向他方側係合部３７よりも他方側に位置しているので、上パネル体５を回転させて下パネル体５の上に載置するときに、下パネル体の上桟１９の他方側載置部３０ｂが邪魔にならずに回転させることができる。
下パネル体５の上桟１９を、上パネル体の下桟２１の上下方向一方側係合３５及び他方側係合部３７と、一方側被載置部３２ａ及び他方側被載置部３２ｂとで挟んでいるので、パネル体５を積上げた状態で加重がかかっても、下パネル体５の上桟１９と上パネル体５の下桟２１との係合が外れ難い。
更に、支柱３、３間に横架材７を取付けて支柱３、３間の強度を高めた後に、パネル体５を順次取付けているので、施工し易い。
上パネル体５の下桟２１を下パネル体５の上桟本体２５に回転により嵌合させて取付けているので、上からパネル体５を落とし込まなくて済むから最上パネル体と横架材７との間にほとんど空間がない場合でも容易に施工できる。更に、家側のみから施工ができ、道路側からの作業を不要にできる。
【００２３】
以下に本発明の他の実施の形態を説明するが、以下に説明する実施の形態において、上述の第１実施の形態と同一の作用効果を奏する部分には同一の符合を付することにより、その部分の説明を省略し、以下の説明では第１実施の形態と主に異なる点を説明する。
【００２４】
図６及び図７を参照して、本発明の第２実施の形態にかかる壁面体１を説明する。この第２実施の形態にかかる壁面体１は、壁面ユニット７１を左右に複数並べて連結し、壁面ユニット７１を家側に設けた支柱３に固定している。
壁面ユニット７１は、上横枠６１、下横枠６３及び左右の縦枠６５、６７により枠組した枠体６９の内周側にパネル体５を積上げて壁面ユニット７１を組立ててある。また、壁面体ユニット７１は上下の横枠６１、６３を支柱３に固定している。
枠体６９の内周へのパネル体の取付けは、第１実施の形態と同様にして取付けている。
【００２５】
この第２実施の形態によれば、上述の第１実施の形態において支柱３、３間にパネル体５を積上げて施工する効果を除いて、上述した実施の形態と同様の作用効果を奏することができる。
更に、第２実施の形態によれば、壁面ユニット７１を工場等で施工し、施工現場で複数の支柱３を立設し、各支柱３に壁面ユニット７１を固定することができるので、施工現場での施工が容易である。
支柱３は枠体６９の上下の横枠６１、６３に固定しており、第１実施の形態と比較して支柱３の立設位置がパネル体５の見付け寸法の位置に限らないから支柱３の立設位置に制約がなく、施工の自由度が高い。
【００２６】
本発明は、上述した実施の形態に限らず、本発明の要旨を逸脱しない範囲で種々変形可能である。
例えば、パネル体５は、ルーバや格子を備えたものであっても良く、パネル体５の種類は限定されない。また、パネル体５には通風部２９が無くても良い。
壁面体１は面一に施工することに限らず、左右に隣り合うパネル体５を柱３に対して直角に配置したり、柱３に対して所定の角度を形成するものであっても良い。
支柱３、３間には、横架材７を架設しないでも良い。
壁面体１は、フェンスに限らず、屋外に設置する間仕切り等であっても良い。
上述した実施の形態では、上下方向一方側係合部３５は見込み方向一方側係合部を兼ねていたが、上下方向一方側係合部３５とは別に、例えば上下方向一方側係合部３５の下に見込み方向一方側係合部を設けても良い。
下桟２１には、被載置部３２ｂと見込み方向係合部３４とでコーナを形成したが、これに限らず、見込み方向係合３４を被載置部３２ｂから離れた位置に設けて横桟本体２５に他方側から係合するものであっても良い。
上パネル体５の下桟２１の他方側被載置部３２ｂは、図８に示すように、先端を上方に向けて傾斜させて、上パネル体を回転して施工するときに他方側被載置部３２ｂが載置部３０ｂと干渉するのを防止するようにしても良い。
第２実施の形態において、支柱３に枠体６９を固定した後、パネル体５を各枠体６９の内周に積上げるものであっても良い。
【符号の説明】
【００２７】
１    壁面体
３    支柱
５    パネル体
１９  上桟
２１  下桟
２５  横桟本体
３０ａ  一方側載置部
３０ｂ  他方側載置部
３１  一方側被係合部
３２ａ  一方側被載置部
３２ｂ  他方側被載置部
３３    他方側被係合部
３４    見込み方向他方側係合部
３５    上下方向一方側係合部（見込み方向一方側係合部）
３７    上下方向他方側係合部
【図１】
0005715443.tif 000002
【図２】
0005715443.tif 000003
【図３】
0005715443.tif 000004
【図４】
0005715443.tif 000005
【図５】
0005715443.tif 000006
【図６】
0005715443.tif 000007
【図７】
0005715443.tif 000008
【図８】
0005715443.tif 000009